(57)【要約】製品分注システムは、認可された製品補充ユニットの不在時に、システムの作動を阻止するためのロック機構を含む。より具体的には、分注システムは筐体と、筐体内に摺動可能に固定されるアクチュエータであって、そこから延びる少なくとも１つのロックポストを含むアクチュエータとを含む。アクチュエータはポンプを作動させて製品の分注を生じさせるように適合される。解放リングは筐体内に回転可能に固定され、そこから延び、アクチュエータのロックポストと整合される少なくとも１つのロックポストを含む。解放リングは少なくとも１つの傾斜面も含む。アクチュエータ及び解放リングのロックポストがロック位置において互いに係合して分注システムの作動を阻止し、解放リングは、認可された補充ユニットの挿入時にロック解除位置に回転されるように適合される。【選択図】図１
2014524284.tif 000002
【特許請求の範囲】
【請求項１】
筐体と、
前記筐体内に摺動可能に固定されるアクチュエータであって、そこから延びる少なくとも１つのロックポストを含み、ポンプを作動させて製品の分注を生じさせるように適合された、アクチュエータと、
前記筐体内に回転可能に固定される解放リングであって、そこから延びて前記アクチュエータの前記ロックポストと整合される少なくとも１つのロックポストと、少なくとも１つの傾斜面とを含み、前記アクチュエータ及び解放リングの前記ロックポストがロック位置において互いに係合して前記分注システムの作動を阻止し、前記解放リングは認可された補充ユニットの挿入時に、ロック解除位置に回転されるように適合される、解放リングと、
を備える、分注システム。
【請求項２】
前記筐体は前記アクチュエータと係合する枢動可能プッシュバーを含む、請求項１に記載の分注システム。
【請求項３】
前記解放リングは、前記解放リングの外周に沿って離間した３つの傾斜面を含む、請求項１に記載の分注システム。
【請求項４】
前記アクチュエータは２つの横方向に離間したロックポストを含む、請求項１に記載の分注システム。
【請求項５】
前記解放リングは、２つの径方向に対向するロックポストを含み、前記解放リングの各ロックポストが前記アクチュエータのロックポストと整合されている、請求項４に記載の分注システム。
【請求項６】
ロック位置において前記解放リングを付勢する付勢バネをさらに備える、請求項１に記載の分注システム。
【請求項７】
前記アクチュエータは移動されたときにポンプを作動させるよう適合される、請求項１に記載の分注システム。
【請求項８】
前記解放リングは概して環状である、請求項１に記載の分注システム。
【請求項９】
筐体と、
前記筐体内に移動可能に固定されるアクチュエータであって、そこから延びるロックポストを有し、ポンプを作動させて製品の分注を生じさせるように適合される、アクチュエータと、
ロック位置とロック解除位置との間で回転可能な解放リングであって、そこから延び、ロック位置において前記アクチュエータの前記ロックポストと整合されるロックポストと、傾斜面とを含む、解放リングと、
前記筐体内への挿入時に前記解放リングの前記傾斜面と係合して、前記解放リングをロック位置からロック解除位置へ回転させる、傾斜面を含む補充ユニットのつばと、
を備える、製品分注システム。
【請求項１０】
前記筐体は前記アクチュエータと係合される枢動可能プッシュバーを含む、請求項９に記載の製品分注システム。
【請求項１１】
前記解放リングは、前記解放リングの外周に沿って離間した３つの傾斜面を含む、請求項９に記載の製品分注システム。
【請求項１２】
前記アクチュエータは２つ以上のロックポストを含む、請求項９に記載の製品分注システム。
【請求項１３】
前記解放リングは、前記アクチュエータと同数のロックポストを含み、前記解放リングから延びる各ロックポストは、前記解放リングが前記ロック位置にあるときに、前記アクチュエータから延びるロックポストと整合される、請求項１２に記載の製品分注システム。
【請求項１４】
ロック位置において前記解放リングを付勢する付勢機構をさらに備える、請求項９に記載の製品分注システム。
【請求項１５】
前記解放リングは概して環状である、請求項９に記載の製品分注システム。
【請求項１６】
前記つばは、前記解放リングの前記傾斜面と係合するように適合される３つの傾斜面を含む、請求項１１に記載の製品分注システム。
【請求項１７】
前記つばは、そこから延び、前記つばが前記筐体及び解放リングに対して回転することを阻止するために、前記筐体内の鍵溝内に受容される鍵を含む、請求項９に記載の製品分注システム。
【請求項１８】
製品貯蔵器、ポンプ、及び概して円筒形のつばを有する補充ユニットを備え、前記つばは筐体内の回転可能な解放リングと係合して前記分注システムをロック解除するように適合される傾斜面を外側表面上に含む、製品分注システム。
【請求項１９】
前記つばの回転を阻止するために前記分注システムの鍵溝内に受容されるように適合される外方向に延びる鍵をさらに備える、請求項１８に記載の製品分注システム。
【請求項２０】
３つ以上の傾斜面が前記つばの前記外側表面に沿って離間し、前記傾斜面は前記製品貯蔵器から遠ざかるように下方向に面する、請求項１８に記載の製品分注システム。
【発明の詳細な説明】
【技術分野】
【０００１】
本発明は、概して製品分注器ロックアウト機構に関する。より具体的には、本発明は、製品分注器内に位置付けされる認可された補充ユニットが不在のときに、作動プッシュバーの動きを阻止するプッシュバーロックアウト機構に関する。
【背景技術】
【０００２】
流体分注器をレストラン、工場、病院、浴室、及び家庭で使用するために提供することはよく知られていることである。これらの分注器は、例えば、石鹸、抗菌クレンザ、消毒剤、ローション等の多数の製品の１つを含み得る。分注器は、従来技術において知られているように、ある種類のポンプ作動機構を含み、ユーザはレバーを押すか、又は引いて多量の流体を分注する。代替的に「ハンズフリー」自動分注器も利用でき、ユーザは片手又は両手を単にセンサの下に置くだけで、多量の流体が分注される。類似の種類の分注器を使用し、粉あるいは煙霧剤を分注することもできる。
【０００３】
製品分注器は、壁あるいは他の垂直表面上にマウントされるように一般には構成され、製品は分注器の底近くの出口から分注される。分注器は流しの水盤近くのカウンターに組み込まれ、分注システムのある構成要素はカウンターの下に配置され、出口を含む他の構成要素はカウンターの上に配置されることも知られている。これらの種類の分注器はしばしばカウンタマウント分注システムと呼ばれる。分注器の様々な他の構成も知られ、カウンタあるいはテーブルトップ等の水平表面上に置かれるテーブルトップスタイル分注器、あるいはマウンティングポールに取り付けられる垂直マウント分注システムが含まれる。
【０００４】
分注器は多量の製品を直接保持できるが、しかしこれらのバルクフィル分注器は扱いにくく、かつサービスの提供が困難であることが分かっている。バルクフィルシステムは汚染及び衛生問題をも突き付け得る。その結果、多量の流体を保持し、ポンプ及びノズル機構を提供する補充ユニットあるいは容器がますます人気を得ている。衛生的な補充ユニットあるいは容器は、それらが容易に設置及び交換可能であり、実質的に煩雑性を生じないという点で有利である。
【０００５】
さまざまな理由により、製品分注器及び補充ユニットの製造者は、分注器内に入れられる補充液の種類の管理を共通して望む。正しい補充ユニット（製品の種類、濃度、製品形体等）が正しい分注器筐体内に入れられることが、しばしば関心事である。多くの場合、正しい補充ユニットを設置することが顧客にとって重大事である。例えば、病院職員にとっては、例えば保湿ローション等の別の流体ではなくて抗菌石けんを手術前洗浄エリアにおいて分注されることが必須である。従って、製造者はしばしば流体補充ユニットの各種類のために鍵式ノズル及びポンプ機構を提供し、適切な補充ユニットのみを相当する流体分注器内に設置可能なようにする。製造者及び関連配給業者も鍵式システムに依存し、分注器が彼ら自身の製品によってのみ補充可能なようにし、劣るあるいは不良品質であり得る製品とならないようにする。
【０００６】
従来型機構の鍵式システムは、補充ユニットの１つあるいは分注器筐体から突出する鍵、ならびにその鍵を受容するように適合された他方内の鍵溝を典型的に含む。補充ユニットの分注器への挿入は、鍵と鍵溝が一致しない限り阻止される。これらの種類の鍵式システムはある程度成功であると実証されてきたが、いくつかの欠点をも有する。鍵は、多くの場合、特に競合者製品が使用されるような場合に、単純に折られたり、あるいは別の方法で鍵式システムを迂回するために取り外される可能性がある。さらに、鍵を形成するために使用される材料は、しばしば不正鍵が分注器内に適合するように十分に変形するのを可能とする。さらに、補充ユニットが筐体内に十分に挿入されることを許すために鍵式メカニズムが一旦迂回されると、それは意図されたように動作し、さらに克服すべき障害物はない。
【発明の概要】
【発明が解決しようとする課題】
【０００７】
このようにして、従来型技術の１つ以上の欠点を軽減する、分注器のための改良された鍵式システムが必要である。
【課題を解決するための手段】
【０００８】
概して、本発明に従う分注システムは、筐体と、筐体内に摺動可能に固定されるアクチュエータであって、そこから延びる少なくとも１つのロックポストを含み、ポンプを作動させて製品の分注を生じさせるように適合されるアクチュエータと、筐体内に回転可能に固定される解放リングであって、そこから延び、アクチュエータのロックポストと整合される少なくとも１つのロックポストと、少なくとも１つの傾斜面とを含み、アクチュエータ及び解放リングのロックポストがロック位置において互いに係合して分注システムの作動を阻止し、解放リングは認可された補充ユニットの挿入時に、ロック解除位置へ回転されるように適合される、解放リングと、を含む。
【０００９】
本発明の少なくとも１つの態様に従い、分注システムは筐体と、筐体内に移動可能に固定されるアクチュエータであって、そこから延びるロックポストを有し、ポンプを作動させて製品の分注を生じさせるように適合されるアクチュエータと、ロック位置とロック解除位置との間を回転可能な解放リングであって、そこから延び、ロック位置においてアクチュエータのロックポストと整合されるロックポスト、ならびに傾斜面を含む、解放リングと、筐体内への挿入時に解放リングの傾斜面と係合して解放リングのロック位置からロック解除位置への回転を生じさせる傾斜面を含む補充ユニットのつばと、を含む。
【００１０】
本発明の少なくとも１つの態様に従い、分注システムは製品貯蔵器、ポンプ、及び概して円筒形のつばを有する補充ユニットを含み、つばは筐体内の回転可能な解放リングと係合して分注システムをロック解除するように適合される傾斜面を外側表面上に含む。
【図面の簡単な説明】
【００１１】
本発明の十分な理解のため、以下の詳細記述及び付随図面を参照されたい。
【図１】本発明のコンセプトに従う、分注システムの透視図。
【図２】発明の内部構成要素を示すために、筐体カバー及び製品貯蔵器を取り除いた分注システムの透視図。
【図３】本発明の分注システムの部分断面図。
【図４】補充ユニットの挿入が行われていないロック位置における、図１の分注システムのロック機構を含む部分組み立て品の透視図。
【図５】分注ユニットのつばが分注器に挿入された状態のロック解除位置における図４の部分組み立て品の透視図。
【図６】本発明のコンセプトに従う、ロックリング及びロック機構のつばを含む部分組み立て品の平面図。
【図７】本発明のコンセプトに従う、支持部材の底部透視図。
【図８】本発明のコンセプトに従う、ロックリングの底部透視図。
【図９】本発明のコンセプトに従う、補充ユニットつばの上部透視図。
【図１０】本発明のコンセプトに従う、つばの傾斜面とロック機構の解放リングの相互作用を示す、図４の部分組み立て品の拡大された透視図。
【発明を実施するための形態】
【００１２】
本発明の十分な理解のため、以下の詳細記述及び付随図面を参照されたい。
【００１３】
流体分注システムの分野における主要懸念は、不認可補充ユニットが製造者の分注器あるいは製造者によって認可された配給業者によって保守の行われる分注器に設置されることを阻止する能力である。本明細書において開示される分注システムは、プッシュバーの動きを阻止するロックアウト機構を提供することにより、またプッシュバーをロック解除して分注を許可する鍵を備えた補充ユニットのつばを提供することによって、この要求を満たす。とりわけ、正しい鍵を有する補充ユニットつばが分注器内に位置付けされない限り、プッシュバーは移動を阻止される。
【００１４】
ここで図１〜９を参照すると分注システムが示されており、数字１０によって概して表示される。分注システム１０は筐体１２を含み、これは分注システム１０の内部構成要素を包囲し、保護する。筐体１２は、垂直面に固定されるように適合されたバックプレート１４、及びバックプレート１４に対して枢動可能あるいは取り外し可能なカバー１６を含む。カバー１６は分注システム１０の内部構成要素に対するアクセスを許し、補充ユニットの交換を容易にする。ラッチ機構（図示されない）は、分注システム１０の通常動作中は、カバー１６をバックプレート１４に固定し、そしてカバー１６のバックプレート１４に対する動きを許可するように解放可能である。
【００１５】
プッシュバー１８が提供され、水平軸周りに枢動可能であって分注器を作動させる。プッシュバー１８は筐体１２の前方底部に配置される。そのような枢動プッシュバーは従来技術においてよく知られており、利用される特定構造及びヒンジ機構は、そのように請求されない限り、発明を限定すべきではない。プッシュバー１８は、それぞれが半径をもつ肩２２を形成する、横方向に離間されて、後方へ延びるアーム２０（図２）の対を含む。半径をもつ肩２２は、筐体１２内を垂直に移動可能でポンプの作動を生じさせるアクチュエータ２４と係合するように適合される。アクチュエータ２４は各側に横方向に延びる足２６を含み、各足２６は半径をもつ外側表面を有する。足２６の半径をもつ外側表面はプッシュバー１８の半径をもつ肩２２と係合し、プッシュバー１８の枢動動作をアクチュエータ２４の垂直動作へと変換する。
【００１６】
アクチュエータ２４は、そこから上方向に延びる複数のロックポスト２８も含む。図に示される実施形態において、２つのロックポストが提供されており、１つが足２６のそれぞれに隣接している。しかしながら、２つ以上のロックポストがアクチュエータ２４上のさまざまな位置から上方向に延びることが考えられる。ある実施形態では、以下に論じられるように、複数のロックポストは環状解放リング上のポストと整合するように等間隔とされ得る。ある実施形態では、ロックポスト２８及び足２６はアクチュエータ２４と一体化されて形成され得る。ロックポスト２８は任意の希望する形状あるいは構成を有すことができ、発明は、図に描かれるロックポスト２８の特定形状及びサイズにより限定されるべきではない。
【００１７】
筐体１２のバックプレート１４は、その中の補充ユニットのポンプ部分を受容する支持部材３０をもち、補充ユニット及び分注器構成要素を支持する。支持部材３０は概して円筒形の上部分３２と概して円錐形の下部分３４、これはその底部に開孔３６を有する、を含む（図７）。当業者によって評価されるであろうが、補充ユニットは支持部材３０内に受容されてよく、ピストン３８（図３〜５）は開口３６を通って延びてアクチュエータ２４と接触し、係合する。ある実施形態では、ピストン３８は往復ピストンポンプ４０の一部で、ピストンの上方向移動は製品の分注を生じさせ、ピストンの下方向戻りストロークはポンプの呼び水を生じる。
【００１８】
ある実施形態では、チャネル４２は、アクチュエータ２４の垂直摺動部材４４を受容するように支持部材３０及び筐体１２の外部によって形成され得る（図４及び５）。垂直摺動部材４４はチャネル４２内を移動可能で、アクチュエータ２４の垂直移動を許可する。さらに、支持部材３０は、概して円筒形の上部分３２に沿って離間した複数の窓４５を含み得る。窓４５は支持部材３０の外部から支持部材の内部にかけて開口を提供し、ロック機構の構成要素の相互作用を許すが、これは以下の記述から解るであろう。
【００１９】
解放リング４８は、支持部材３０の上部分３２の周りに回転可能に固定される。解放リング４８は概して環状で、支持部材３０に対して回転可能である。放射状窪み４９は支持部材３０の上部分３２内に提供され、解放リング４８を所定位置に保持する。解放リング４８は複数のロックポスト５０を含むが、これはアクチュエータ２４から延びるロックポスト２８の数と同じである。図中に示される実施形態では、２つの径方向に対向するロックポスト５０が、解放リング４８から下方向に延びて提供される。ロックポスト５０の数及び間隔はアクチュエータ２４上のロックポスト２８の数と間隔に依存するが、これは解放リング４８上の各ロックポスト５０はアクチュエータ２４上のロックポスト２８と整合されるからである。
【００２０】
付勢バネ５２は筐体１２のバックプレート１４と解放リング４８上のバネブラケット５４（図８）の間に位置付けされる。バネブラケット５４は解放リング４８から概して外方向に放射状に延び、バネ５２をその上に受容するように適合されるピン部分５５を含み得る。付勢バネ５２はロック位置において解放リング４８を付勢し、一方、付勢力が克服されたときに、ロック位置からロック解除位置への解放リング４８の回転を許可する。プッシュタブ５６も図中に示されるようにバネブラケット５４に隣接してあるいは解放リング４８上のいずれかに提供され得る。プッシュタブ５６は、付勢バネ５２によって提供される付勢力を克服するための安易な機構を提供して解放リング４８をロック解除することにより、筐体１２からの補充ユニットの除去を容易化する。
【００２１】
解放リング４８は、アクチュエータ２４から遠ざかるように上方向に面する複数の傾斜面５８をも含む。傾斜面５８の数及び間隔は変化してよい。図中に示される実施形態においては、３つの傾斜面５８が示され、解放リング４８の周囲に沿って約１２０°で離間している。当業者によって評価されるであろうが、傾斜面５８はさまざまな方法で解放リング４８内に形成され得る。考えられる特定構造が図８に示されており、そこでは傾斜面５８が、解放リング４８の内部上で内方向に放射状に延びる突起５９上に提供される。この配置は、傾斜面５８が支持部材３０内の窓４５に隣接して、あるいはその中に位置付けられることを許す。
【００２２】
補充ユニットのつば６０はポンプ４０を包囲し、取り囲むが、これは、従来技術においてよく知られていることだが、製品貯蔵器（図示されない）内に含まれる製品を分注するように適合される。つば６０は、補充ユニットが筐体１２内に位置付けされたときに、支持部材３０内に受容される。ポンプ４０のピストン３８は支持部材３０内の開口３６を通って延び、アクチュエータ２４と接触し、係合する。１つ以上の実施形態では、つば６０は概して円筒形の形状であってもよい。
【００２３】
つば６０は、アクチュエータ２４に向かって下向きに面する複数の傾斜面６６を含む。つば６０上の傾斜面６６の数及び間隔は、解放リング４８上の傾斜面５８の数及び間隔と等しいことが好ましい。このようにして、図中に示される実施形態では、３つの傾斜面６６がつば６０上に提供され、つばの外周上に約１２０°離間されている。当業者によって評価されるであろうが、傾斜面６６はさまざまな方法によってつば６０内に形成され得る。考えられる特定構造が図９に示されているが、そこでは傾斜面６６はつば６０の外部上で放射状に外に向かって延びる突起６７の上に提供されている。この配置は、傾斜面６６が支持部材３０内の窓４５に隣接し、あるいはその中に位置付けされることを許す。
【００２４】
１つ以上の実施形態では、つば６０は、支持部材３０内の切り欠きあるいは鍵溝７０内に、あるいはバックプレート１４の別の部分で受容される１つ以上の外方向に延びるフィンあるいは鍵６８をも含み得る。鍵６８及び鍵溝７０は、つば６０の支持部材３０に対する回転を阻止し、以下に論じられるように、これはロック機構の正しい機能を確保する。
【００２５】
ロック位置において、筐体１２内に補充ユニットが位置付けされていないとき、アクチュエータ２４のロックポスト２８は解放リング４８のロックポスト５０と整合される。このロック位置において、ロックポスト２８と５０の間の干渉のおかげで、アクチュエータ２４は筐体１２内で垂直に移動できないため、分注器の作動は阻止される。付勢バネ５２は、付勢力を克服するための力がないとき、解放リング４８をこのロック位置に維持し、認可された補充ユニットが存在しないいときに分注システム１０がロックされるようにする。
【００２６】
つば６０が傾斜面６６を有して補充ユニットに挿入されると、分注システム１０はロック解除される。つば６０の傾斜面６６は解放リング４８の傾斜面５８と接触して係合し、支持部材３０に対する、そして窪み４９内における、解放リングの回転を生じさせる。当業者によって評価されるであろうが、解放リング４８の回転は、アクチュエータ２４のロックポスト２８との係合からロックポスト５０を移動させて外し、これにより、アクチュエータ２４の垂直移動及び分注システム１０の作動が許される。
【００２７】
つば６０が支持部材３０内へ十分に挿入されると、解放リング４８は、つば６０上のリップ７４内に受容される解放リング４８上の突起５９によって、ロック解除位置に固定され得る。突起５９及びリップ７４は解放リング４８をロック解除位置に維持し、ポンプ４０の反復作動を許すが、一方補充ユニット及びつば６０は筐体１２内に残る。支持部材３０内の窓４５は、支持部材３０の介入構造に拘わらず、傾斜面６６及び５８の係合を許す。補充ユニット及び６０を除去するには、プッシュタブ５６をバックプレート１４に向かって押し、それによってバネ５２の付勢力を克服し、解放リング４８を回転させてつば６０との係合を外す。プッシュタブ５６の解放時に、解放リングはロック位置に戻り、別の認可された補充ユニットが挿入されるまで、分注システム１０の作動を阻止する。
【００２８】
本明細書中に記述されるように構築されたロックアウト機構は、従来技術を実質的に改良することは明白である。特許制定法に従い、最良の態様及び好ましい実施形態のみが提供され、詳細に記述された。本発明は図あるいは本明細書中に提供される記述によって限定されるべきではない。本発明の真の範囲及び幅の評価に関しては、以下の請求項のみが参照されるべきである。
【図１】
2014524284.tif 000003
【図２】
2014524284.tif 000004
【図３】
2014524284.tif 000005
【図４】
2014524284.tif 000006
【図５】
2014524284.tif 000007
【図６】
2014524284.tif 000008
【図７】
2014524284.tif 000009
【図８】
2014524284.tif 000010
【図９】
2014524284.tif 000011
【図１０】
2014524284.tif 000012
【国際調査報告】
2014524284.tif 000013
2014524284.tif 000014
2014524284.tif 000015